(57)【特許請求の範囲】
【請求項１】
扉壁に第１固着具を介して対向状態に連結され、かつ、支持軸を介して内外の操作部材をそれぞれ軸支する内外の支持座の取付け構造に於いて、前記内側の支持座は、少なくとも前記扉の内壁に前記第１固着具を介して外側の支持座と一体的に連結される取付けベース座と、この取付けベース座に第２固着具を介して固定される支持座本体とから成り、前記支持座本体は、内側の操作部材用の水平方向の支持軸（横軸）を支持する軸部を有していることを特徴とする内外の支持座の取付け構造。
【請求項２】
請求項１に於いて、取付けベース座は、左右部位に第１固着具１４用の左右貫通孔３２を、一方、上下部位に第２固着具１５用の上下貫通孔３３をそれぞれ有することを特徴とする内外の支持座の取付け構造。
【請求項３】
請求項１に於いて、取付けベース座１６の外壁面には、少なくとも一つの位置決め用突起３５が形成され、支持座本体１７は、この位置決め用突起に合わせるように該取付けベース座１６に組み合わせられていることを特徴とする内外の支持座の取付け構造。
【請求項４】
請求項１に於いて、取付けベース座１６は、扉の内壁１ａに形成した切欠部２１に嵌め込まれた状態で外側の支持座１１と連結されていることを特徴とする内外の支持座の取付け構造。
【請求項５】
請求項１に於いて、内外の操作部材６，７は、内外揺動軸８，９のオス・メスの係合部５１，５２を介して直接連係していることを特徴とする内外の支持座の取付け構造。
【請求項６】
ラッチ錠は、請求項１に記載の事項をそのまま含み、内外の支持座の軸部４４，２４にそれぞれ設けた横軸１２，１３を介して上下方向に動くプッシュプル式の内外の操作部材６，７を備え、いずれか一方の操作部材を操作すると、錠箱内の作動部材が操作部材復帰用バネ部材のバネ力に抗して上下方向に移動し、該作動部材に連動してラッチ施錠片の係止が解消することを特徴とするラッチ錠。
【発明の詳細な説明】
【技術分野】
【０００１】
本発明は、扉の壁面に取付けられる内外の支持座の取付け構造及び該支持座の取付け構造を備えたラッチ錠に関する。
【背景技術】
【０００２】
特許文献１には、「扉の内外の壁に複数本の固着具を介して対向状態に連結される内外の支持座（取付け座板）と、これらの支持座に垂直方向の支持軸（縦軸）を介してそれぞれ軸支され、水平方向に所要量回転する内外の操作部材とから成る内外の支持座の取付け構造」が記載されている。
【０００３】
また、特許文献２、特許文献３には、内外の操作部材を操作すると、錠箱内の作動部材が作動してラッチを施錠するラッチ施錠片が係止解除する方向へ回転する旨の具体的構成が記載されている。
【０００４】
さて、内外の支持座の取付け構造は、当業者に於いて、「プッシュプル錠」、或いは「ハンドル錠」と称される錠前（ラッチ錠）に適用されている。
【０００５】
したがって、名称如何を問わず、内外の操作部材のいずれかを水平方向へプッシュ（押す）又はプルする（手前に引く）と、操作部材の操作力に基づいて、ラッチ錠の錠箱内の作動部材（例えば摺動部材）が水平方向へ移動し或いは回転し、直接又は該作動部材に連動する連動片を介してラッチを係止するラッチ施錠片が係止解消の方向へ回転する。
【０００６】
付言すれば、上記特許文献１の内外の取付け座は、内外共に同一の構成であり、また、内外の操作部材は、それぞれ垂直方向の支持軸（縦軸）を介して水平方向に操作される構成であった。
【０００７】
ところで、プッシュプル方式の操作部材を適用したラッチ錠に於いて、操作部材を水平方向（左右方向）ではなく、垂直方向（上下方向）に操作することができる内外の支持座の取付け構造が要望されている。
【０００８】
もちろん、操作部材を水平方向にプッシュ又はプルして扉を開くことについては何らの問題がない。しかしながら、例えば手首に買い物袋を吊り下げて操作部材を操作する場合には、外側操作部材の上端に手を掛けてそのまま下方方向へ「プル操作」ができればより自然な操作であるから、開扉が楽である。
【０００９】
そこで、内外の操作部材を水平方向の支持軸（横軸）で軸支可能な内外の支持座の取付け構造及び該支持座の取付け構造を備えたラッチ錠が要望されている。
【特許文献１】特開２００２−７０３８６号公報
【特許文献２】特許公報２０００−１１０４２９号
【特許文献３】実公平７−５２２９６号公報
【発明の開示】
【発明が解決しようとする課題】
【００１０】
本発明の第１の目的は、操作部材の上端に手を掛けてそのまま下方方向へ「プル操作」ができる内外の支持座の取付け構造を提供すること。第２の目的は、内外の支持座を一体的に連結する固着具を用いても、該固着具の位置と操作部材を軸支する水平方向の支持軸（横軸）の位置が干渉しないこと。第３の目的は、支持座を簡単に組合せることができること。第４の目的は、内外の支持座をバランス良く扉壁に固定することができること。第５の目的は、主要部をそのまま含み、かつ、操作部材復帰用バネ部材を備えたラッチ錠を提供することである。
【課題を解決するための手段】
【００１１】
本発明の内外の支持座の取付け構造は、扉壁に第１固着具を介して対向状態に連結され、かつ、支持軸を介して内外の操作部材をそれぞれ軸支する内外の支持座の取付け構造に於いて、前記内側の支持座１０は、少なくとも前記扉の内壁１ａに前記第１固着具１４を介して外側の支持座１１と一体的に連結される取付けベース座１６と、この取付けベース座に第２固着具１５を介して固定される支持座本体１７とから成り、前記支持座本体は、内側の操作部材用の水平方向の支持軸（横軸）１２を支持する軸部４４を有していることを特徴とする。
【００１２】
上記構成に於いて、取付けベース座は、左右部位に第１固着具１４用の左右貫通孔３２を、一方、上下部位に第２固着具１５用の上下貫通孔３３をそれぞれ有することを特徴とする。また、取付けベース座１６の外壁面には、少なくとも一つの位置決め用突起３５が形成され、支持座本体１７は、この位置決め用突起に合わせるように該取付けベース座１６に組み合わせられていることを特徴とする。また、取付けベース座１６は、扉の内壁１ａに形成した切欠部２１に嵌め込まれた状態で外側の支持座１１と連結されていることを特徴とする。また、内外の操作部材６，７は、内外揺動軸８，９のオス・メスの係合部５１，５２を介して直接連係している。
【００１３】
さらに、本発明のラッチ錠は、請求項１に記載の事項をそのまま含み、内外の支持座の軸部４４，２４にそれぞれ設けた横軸１２，１３を介して上下方向に動くプッシュプル式の内外の操作部材６，７を備え、いずれか一方の操作部材を操作すると、錠箱内の摺動部材が操作部材復帰用バネ部材のバネ力に抗して上下方向に移動し、該摺動部材に連動してラッチ施錠片の係止が解消することを特徴とする。
【発明の効果】
【００１４】
（１）操作部材の上端に手を掛けてそのまま下方方向へ「プル操作」ができる。したがって、操作部材の操作が楽である。
（２）請求項２に記載の発明は、内外の支持座を一体的に連結する第１固着具１４を用いても、該固着具の位置と内側ハンドル６を軸支する支持軸（水平方向の横軸）１２の位置が互いに干渉しない。
（３）請求項３に記載の発明は、内側の支持座を簡単に組み合わせることができる。
（４）請求項４に記載の発明は、内外の支持座をバランス良く扉壁に固定することができる。換言すると、内側の支持座が外側の支持座よりも壁面から著しく突出しない。
（５）請求項５に記載の発明は、操作部材の適用に関して、内外揺動体の係合部分の位置を調整することが可能なので、所定厚さの扉に限定されない。
（６）請求項６に記載の発明は、錠箱内に内外の操作部材を初期位置に復帰させるバネ部材を備えていることから、支持座内に操作部材復帰用のバネ部材を組み込む必要がない。したがって、支持座を簡単に組み合わせることができる（組合せの向上化、コンパクト化等を図ることが可能）。
【発明を実施するための最良の形態】
【００１５】
以下、図１乃至図１３に示す本発明を実施するための最良の形態により説明する。
【００１６】
（１）発明の実施の環境
図１は発明の実施の環境を示す扉の先側から見た概略説明図である。図２は発明の実施の環境を示す平面側から見た概略説明図である。
【００１７】
図１、図２に於いて、符号のＸは内外の支持座１０，１１の取付け構造、１は扉、２はラッチ錠の錠箱、３は扉の自由端面から突出するラッチ、４は室内、５は室外、６は操作部材としての内側ハンドル、７は操作部材としての外側ハンドル、８は内側ハンドルの基端部に突出状態に組み込まれた内側揺動軸、９は外側ハンドルの基端部に突出状態に組み込まれた外側揺動軸、１０はキャップ状の化粧板を含む内側の支持座、１１はキャップ状の化粧板を含む外側の支持座、１２は内側ハンドルを軸支する水平方向の支持軸（横軸）、１３は外側ハンドルを軸支する水平方向の支持軸（横軸）、１４は内外の支持座１０，１１を一体的に連結する複数本の第１固着具、１５は内側の支持座１０を構成する取付けベース座１６及びこの取付けベース座の外側に位置決めされた状態で嵌合する支持座本体１７を一体的に結合する第２固着具である。
【００１８】
（２）支持座の取付け構造
支持座の取付け構造Ｘの主な構成部材は、扉１の内外の壁１ａ，１ｂに複数本の第１固着具１４を介して対向状態に連結される内外の支持座１０，１１と、これらの支持座１０，１１に水平方向の支持軸（横軸）１２，１３を介して軸支され、上下方向に所要量回転する内外の操作部材６，７である。
【００１９】
そして、前記内側の支持座１０は、少なくとも扉１の内壁１ａに複数本（例えば２本）の第１固着具１４を介して外側の支持座１１と一体的に連結される取付けベース座１６と、この取付けベース座１６の外側に複数本（例えば２本）の第２固着具１５を介して固定される支持座本体１７とから成り、前記支持座本体１７は、内側の操作部材６用の水平方向の支持軸（横軸）１２を支持する軸部４４を有している（特徴部分）。
【００２０】
（３）具体的構成…扉１
以下、本発明の特定要件について順次説明するが、細部的事項については、図面及びその説明を割愛する。
【００２１】
さて、扉１の内外の壁面１ａ，１ｂには、内外の支持座１０，１１が固定されるが、本実施例では、少なくとも内側の支持座１０の取付けベース座１６は、扉の内壁１ａに形成した切欠部２１に嵌め込まれた状態で外側の支持座１７と連結されている（特徴部分）。扉１に内装されるラッチ錠の構成については後述する。
【００２２】
（４）外側の支持座１１
まず、図３乃至図５を参照にして外側の支持座１１の構成を説明する。支持座１１は円盤状に形成されている。しかして、２２は外側揺動軸９が貫通する多角形の軸孔、２３は支持座１１の内壁面の左右端部の略中央部から水平方向に延びる左右一対のメネジ連結杆、２４は支持座１１の中央部に形成された支持軸（横軸）１３用の軸部（本実施例では横方向の軸孔）、２５は支持座１１の外壁面に形成された凹所である。
【００２３】
ところで、支持座１１は、図３で示すように内壁面が段差状に形成された被係合面２６を有し、この被係合面２６に化粧板２６の係合爪部が係合する。また、中心部の軸孔２２、左右の軸部（横軸孔）２４及び凹所２５はそれぞれ連通している。
【００２４】
（５）支持座１０の取付けベース座１６
次に、図６乃至図８を参照にして内側支持座１０の取付けベース座１６の構成を説明する。図６で示すように、支持座１０も外側支持座１１の形状、大きさ等を考慮して適宜（例えばベース部分が円盤状）に形成されている。
【００２５】
取付けベース座１６は、扉１の切欠部２１内に完全に嵌まり込むベース部分３１の左右の部位に第１固着具１４用の左右貫通孔３２を、一方、上下の部位に第２固着具１５用の上下貫通孔３３をそれぞれ有する（特徴部分）。
【００２６】
また、取付けベース座１６の前記ベース部分３１の中央部には、内側ハンドル６の内側揺動軸８が余裕をもって貫通する円形の中心孔３４が形成されている。
【００２７】
さらに、取付けベース座１６の外壁面（図６で見える垂直面、扉１の内壁面１ａに向かって見える面）には、少なくとも一つ以上の位置決め用突起３５が形成され、支持座本体１７は、この位置決め用突起３５に合わせるように該取付けベース座１６に組み合わせられる。
【００２８】
しかして、複数個の位置決め用突起３５は、本実施例ではそれぞれ弧状に形成され、円盤状ベース部分３１の左右貫通孔３２及び上下貫通孔３３の位置を考慮して、かつ、所要の嵌合間隙３６を有して該ベース部分の周端部に突出形成されている。付言すると、位置決め用突起３５は、例えば合計４個であり、前記貫通孔３２，３３を通る水平線部分及び垂直線部分（つまり、交差する部分）を避けて、かつ、上下・左右方向に交差する合計４つの嵌合間隙３６を有して周方向に複数個設けられている。しかも、これらの突起３５は、扉１の切欠部２１を形成する縁面に係合するフランジ部分（係合部分）３５ａを有している（図８参照）。
【００２９】
したがって、取付けベース座１６を、扉１の切欠部２１に嵌め込むと、該取付けベース座１６はフランジ部分３２ａを介して扉１の所定の位置に係止状態にセットされ、かつ、第１固着具１４を介して外側の支持座１１に連結され得る。
【００３０】
（６）支持座１０の支持座本体１７
次に、図９乃至図１２を参照にして内側支持座１０の支持座本体１７の構成を説明する。図９は支持座本体１７の正面図（外壁面から見た図）、図１０は図９の１０−１０線概略断面図、図１１は支持座本体１７の背面図（内壁面から見た図）、図１２は左側面図である。
【００３１】
これらの図から明らかなように、支持座本体１７の形態は、左右の辺がそれぞれ垂直にカットされているものの、取付けベース座１６や外側支持座１１の形態に合わせて略円盤状に形成されている。もちろん、支持座１０，１１の形態は、デザイン性を考慮して任意に設計変更され得る。
【００３２】
さて、支持座本体１７は、本実施例では、前述したように合計４個の位置決め用弧状突起３５に合わせて取付けベース座１６の外側に嵌合することから、内壁面側にやや十字型形状の嵌合板部４１を有する。この嵌合板部４１の中心部には、内側ハンドル６の内側揺動軸８用の軸孔４４が形成されている。
【００３３】
また、支持座本体１７は、取付けベース座１６に該嵌合板部４１を嵌め込んだ後に、第２固着具１５を介して該取付けベース座１６に一体的に結合されることから、取付けベース座１６の上下貫通孔３３と符合する第２固着具１５用外側貫通孔４３が形成されている。さらに、嵌合板部４１には、外側支持座１１と同様に中央部に支持軸（横軸）１２用の軸部（本実施例では横軸孔）４４が形成されている。
【００３４】
また、支持座本体１７は、十字型形状の嵌合板部４１の外壁面から突出するフランジ部分４５を有し、また、該フランジ部分４５の内側は、外側支持座１１と同様に中心部の軸孔４２、水平方向の軸部（横軸孔）４４にそれぞれ連通する外向き凹所４６となっている。
【００３５】
（７）操作部材６，７と内外の揺動軸８，９について説明する。
【００３６】
内外のハンドル６，７の操作部分６ａ，７ａの形状は特に限定するものではないが、例えば片手を容易に掛けることができるように幅広板状に形成されている（図１及び図２参照）。そして、操作部分６ａ，７ａは、扉１の壁１ａ，１ｂに対してやや弧状に形成されている。また、内外のハンドル６，７の水平軸部分６ｂ，７ｂには、固着具を介して内側揺動軸８と外側揺動軸９がそれぞれ固定されている。
【００３７】
そこで、内外の揺動軸８，９について説明する。前述したように、内側の揺動軸８と外側揺動軸９は、図１、図２で示すように、対応する内側支持座１０と外側支持座１１にそれぞれ水平方向の支持軸（横軸）１２．１３を介して軸支されていることから、上下方向に所要量揺動する。
【００３８】
付言すれば、内外の揺動軸８．９は、内外の支持座１０．１１の軸孔（中心孔、挿入孔）３４，４２，２２にそれぞれ差し込まれた状態で内外の支持軸１２，１３にそれぞれ軸支されていることから、内外のハンドル６，７の操作部分６ａ，７ａを操作（例えばプル）すると、上下方向に揺動する。
【００３９】
図１３は内外の揺動軸８．９の連係構造を示している。内外の揺動軸８．９は、オス側か、それともメス側かの違いを除き、（ａ）略均等に分割されている点、（ｂ）各棒状或いは板状の内端軸部がオス・メスの係合部５１．５２を介して直接連係している点、（ｃ）内外のハンドル６，７のいずれかを「プル」又は「プッシュ」すると、連係する内端軸部５０．５０が、共働して錠箱内の摺動部材を、該摺動体用のバネ部材のバネ力に抗して所定方向へ移動させる（後述）。
【００４０】
なお、図１３で示すように、本実施例の内側揺動軸８のオス係合部５１は駒形状の突起であり、一方、外側揺動軸９のメス係合部５２は、前記突起に係合する軸方向の長溝である。メス係合部５２を長溝とした理由は、内外の操作部材６，７の適用が所定厚さの扉に限定されないためである。内外の揺動軸８．９の細部的事項については、詳細な説明を割愛する。
【００４１】
（８）支持座１０，１１の取付け
内外の支持座１０，１１を扉1の壁１ａ，１ｂに取り付ける場合には、まず、内側支持座１０の支持座本体１７の軸部１８に内側ハンドル６を、支持軸（横軸）１２を介して軸支し、一方、外側支持座１１の軸部２４に外側ハンドル７を支持軸（横軸）１３を介して軸支する。
【００４２】
次に、外側ハンドル７の揺動軸９の先端部を錠箱の軸用窓部に差し込むようにして外側の支持座１１を扉１の外壁面１ｂにあてがいつつ、内側支持座１０の取付けベース座１６を扉１の内壁面１ａの切欠部２１に嵌めこむ。
【００４３】
そして、取付けベース座１６の左右貫通孔３２から第１固着具１４を差込み、取付けベース座１６と外側の支持座１１を一体的に連結する。本実施例では、二本の第１固着具１４を外側の支持座１１の左右のメネジ連結杆２３にそれぞれ捻じ込むと、第１固着具１４は、図２で示すように扉１の内壁１ａの内部に位置する。
【００４４】
次に、内側ハンドル６の揺動軸８の先端部を取付けベース座１６の中心孔３４から錠箱の軸用窓部に差し込むようにして取付けベース座１６の外側に支持座本体１６を位置決め嵌合する。この時、内側ハンドル６の揺動軸８と外側ハンドル７の揺動軸９の係合部分５１，５２が互いに係合して連係可能な状態となる。
【００４５】
しかる後に、第２固着具１５を支持座本体１７の上下の外側貫通孔４３から取付けベース座１６の上下貫通孔３３へと捻じ込み、支持座本体１７を、取付けベース座１６を介して外側支持座１１に固定する。
【実施例】
【００４６】
この欄では、本発明を適用したラッチ錠の一例を説明する。図１４はてラッチ錠Ｙの概略説明図である。周知事項の詳細は割愛する。このラッチ錠Ｙは、請求項１に記載の事項をそのまま含んでいる。したがって、ラッチ錠Ｙは、内外の支持座の軸部４４，２４にそれぞれ設けた横軸１２，１３を介して垂直方向（上下方向）に動く（回転する）プッシュプル式の内外の操作部材６，７を備えている。
【００４７】
この図１４では、錠箱２のケース身２ａとケース蓋２ｂにそれぞれ形成された窓部６０に内外の操作部材６，７の揺動軸８，９が係合状態で差し込まれている状態が示されている。
【００４８】
しかして、６１は前記揺動軸８，９の上方に位置する断面チャンネル（上向きコ字形状）の作動部材（実施例では摺動部材）、６２は該作動部材内に組み込まれた操作部材６，７復帰用のバネ部材、６３は先端部がラッチ施錠片６４に、一方、後端部が前記作動部材６１にそれぞれ係合するように錠箱２内に配設された人差し指形状の連動片、６５は複数個の切欠部を有するラッチ支持枠、そして、３はラッチバネ６６に付勢された反転ラッチである。
【００４９】
上記構成に於いて、操作部材６，７のいずれか一方をプル操作すると、摺動部材６１は、操作部材復帰用バネ部材６２のバネ力に抗して上方向にスライドし、該摺動部材６１に連動して連動片６３及びラッチ施錠片６４が係止を解消する方向へ回転する。そして、操作部材６，７は、当該操作部材の上端から手を離すと、前記バネ部材６２のバネ力により、元の初期位置へと復帰する。
【産業上の利用可能性】
【００５０】
本発明は、主に錠前や建具業界で利用される。
【図面の簡単な説明】
【００５１】
図１乃至図１３は本発明の最良の実施例を示す各説明図。図１４は本発明を適用したラッチ錠の一例を示す概略説明図。
【図１】発明の実施の環境を示す扉先側（自由端部）側から見た概略説明図。
【図２】明の実施の環境を示す平面側から見た概略説明図。
【図３】外側の支持座、横軸１３、外側揺動軸９等の斜視図。
【図４】外側の支持座の内壁面側からの説明図。
【図５】外側の支持座の概略断面説明図。
【図６】内側支持座の取付けベース座、第１及び第２固着具の説明図。
【図７】取付けベース座（正面）の説明図。
【図８】取付けベース座の概略断面説明図。
【図９】支持座本体１７の正面図。
【図１０】図９の１０−１０線概略断面図。
【図１１】支持座本体の背面図。
【図１２】支持座本体の左側面図。
【図１３】内外の揺動軸の概略説明図。
【図１４】適用したラッチ錠の一例を示す概略説明図。
【符号の説明】
【００５２】
Ｘ…支持座の取付け構造、Ｙ…ラッチ錠、1…扉、２…錠箱、３…ラッチ、４…室内、５…室外、６…内側操作部材、７…外側操作部材、８…内側揺動軸、９…外側揺動軸、１０…内側の支持座、１１…外側の支持座、１２，１３…支持軸（横軸）、１４…第１固着具、１５…第２固着具、１６…取付けベース座、１７…支持座本体、３１…ベース部分、３２…左右貫通孔、３３…上下貫通孔、３５…位置決め用突起、３６…嵌合間隙、２３…メネジ連結杆、２４…外側支持座の軸部、６０…窓部、６１…摺動部材、６２…バネ部材、６３…連動片、６４…ラッチ施錠片、６５…ラッチ支持枠。
【図１】
0004638293.tif 000002
【図２】
0004638293.tif 000003
【図３】
0004638293.tif 000004
【図４】
0004638293.tif 000005
【図５】
0004638293.tif 000006
【図６】
0004638293.tif 000007
【図７】
0004638293.tif 000008
【図８】
0004638293.tif 000009
【図９】
0004638293.tif 000010
【図１０】
0004638293.tif 000011
【図１１】
0004638293.tif 000012
【図１２】
0004638293.tif 000013
【図１３】
0004638293.tif 000014
【図１４】
0004638293.tif 000015